【手続補正書】
【提出日】平成22年8月2日(2010.8.2)
【手続補正１】
【補正対象書類名】特許請求の範囲
【補正対象項目名】請求項１
【補正方法】変更
【補正の内容】
【請求項１】
複数の図柄を表示する図柄表示手段と、
開始操作に基づいて単位遊技の開始を指令する信号を出力する開始信号出力手段と、
前記開始信号出力手段により信号が出力された場合に、当選役決定情報に基づいて当選役を決定する当選役決定手段と、
前記当選役決定手段が当選役の決定に用いる当選役決定情報を切り換える切換手段と、
前記開始信号出力手段により信号が出力された場合に、前記図柄表示手段により表示される図柄の変動を行う図柄変動手段と、
停止操作に基づいて前記図柄変動手段により行われる図柄の変動の停止を指令する信号を出力する停止信号出力手段と、
前記停止信号出力手段により出力された信号と前記当選役決定手段により決定された当選役とに基づいて、予め定められた図柄の移動量の範囲内において、前記図柄変動手段により行われる図柄の変動の停止制御を行う停止制御手段と、
前記図柄表示手段により予め定められた図柄の組合せが表示されると、遊技者に遊技価値を付与する遊技価値付与手段と、
前記図柄表示手段により第１の役に対応する図柄の組合せが表示された場合に、遊技媒体の投入をすることによらずに次回の単位遊技を開始する手段と、
遊技に関する情報を報知可能に構成された情報報知手段と、
を備え、
前記第１の役に当選する確率が第１確率である第１当選役決定情報に前記当選役決定情報が切り換えられている場合、予め定めた複数種類の第２の役のうち、前記当選役決定手段によって当選役として決定された第２の役に対応する図柄の組合せが前記図柄表示手段により表示されることを条件に、前記切換手段は、前記当選役決定情報を前記第１の役に当選する確率が前記第１確率よりも低い第２確率である第２当選役決定情報に切り換え、
前記情報報知手段は、
前記当選役決定情報が前記第１当選役決定情報に切り換えられているときに設けられる特定遊技区間の場合、前記複数種類の第２の役のうちいずれかの第２の役が前記当選役と決定されたことを条件に、その決定された第２の役とは異なる種類の第２の役が前記当選役と決定された旨を報知し、
前記複数種類の第２の役に対応する図柄の組み合わせを構成する図柄は、各々、前記図柄表示手段において、他の第２の役に対応する図柄の組合せを構成する図柄と前記予め定められた図柄の移動量の範囲以上の図柄を挟んで配置され、
前記特定遊技区間を継続させることが可能な継続可能回数を抽選する特定遊技区間抽選手段をさらに備えたことを特徴とする遊技機。
【手続補正２】
【補正対象書類名】明細書
【補正対象項目名】０００８
【補正方法】変更
【補正の内容】
【０００８】
本発明は、以上のような問題点に鑑みてなされたものであり、遊技機において、第１の役に当選する確率が第１確率である第１当選役決定情報に当選役決定情報が切り換えられている場合、予め定めた複数種類の第２の役のうち、当選役決定手段によって当選役として決定された第２の役に対応する図柄の組合せが図柄表示手段により表示されることを条件に、切換手段は、当選役決定情報を前記第１の役に当選する確率が前記第１確率よりも低い第２確率である第２当選役決定情報に切り換え、情報報知手段は、当選役決定情報が第１当選役決定情報に切り換えられているときに設けられる特定遊技区間の場合、複数種類の第２の役のうちいずれかの第２の役が当選役と決定されたことを条件に、その決定された第２の役とは異なる種類の第２の役が前記当選役と決定された旨を報知し、前記複数種類の第２の役に対応する図柄の組み合わせを構成する図柄は、各々、図柄表示手段において、他の第２の役に対応する図柄の組合せを構成する図柄と予め定められた図柄の移動量の範囲以上の図柄を挟んで配置され、特定遊技区間を継続させることが可能な継続可能回数を抽選する特定遊技区間抽選手段をさらに備えたことを特徴とする。
【手続補正３】
【補正対象書類名】明細書
【補正対象項目名】００１０
【補正方法】変更
【補正の内容】
【００１０】
（１）  複数の図柄を表示する図柄表示手段（例えば、後述のリール３Ｌ，３Ｃ，３Ｒ、表示窓４Ｌ，４Ｃ，４Ｒなど）と、開始操作（例えば、後述のスタート操作など）に基づいて単位遊技（例えば、後述の一のゲームなど）の開始を指令する信号（例えば、後述の遊技開始指令信号など）を出力する開始信号出力手段（例えば、後述のスタートスイッチ６Ｓなど）と、前記開始信号出力手段により信号が出力された場合に、当選役決定情報（例えば、後述の確率抽選テーブルなど）に基づいて当選役（例えば、後述の内部当選役、持越役など）を決定する当選役決定手段（例えば、後述の確率抽選処理を行う手段、後述の主制御回路７１など）と、前記当選役決定手段が当選役の決定に用いる当選役決定情報を切り換える切換手段（例えば、後述の遊技状態を切り換える手段、後述の主制御回路７１など）と、前記開始信号出力手段により信号が出力された場合に、前記図柄表示手段により表示される図柄の変動（例えば、変動表示など）を行う図柄変動手段（例えば、後述のステッピングモータ４９Ｌ，４９Ｃ，４９Ｒ、後述の主制御回路７１など）と、停止操作（例えば、遊技者による操作など）に基づいて前記図柄変動手段により行われる図柄の変動の停止を指令する信号（例えば、後述の停止指令信号など）を出力する停止信号出力手段（例えば、後述の停止ボタン７Ｌ，７Ｃ，７Ｒ、後述のリール停止信号回路４６など）と、前記停止信号出力手段により出力された信号と当選役決定手段により決定された当選役とに基づいて、予め定められた図柄の移動量の範囲内において、前記図柄変動手段により行われる図柄の変動の停止制御を行う停止制御手段（例えば、後述の滑りコマ数決定処理を行う手段、後述の図１３のステップＳ１６〜ステップＳ１８を行う手段、後述の主制御回路７１など）と、前記図柄表示手段により予め定められた図柄の組合せ（例えば、後述のベルの小役に対応する図柄組合せなど）が表示されると、遊技者に遊技価値（例えば、メダルなど）を付与する遊技価値付与手段（例えば、後述の図１４のステップＳ２７を行う手段、後述の主制御回路７１など）と、前記図柄表示手段により第１の役（例えば、後述の再遊技など）に対応する図柄の組合せが表示された場合に、遊技媒体の投入をすることによらずに次回の単位遊技を開始する手段と、遊技に関する情報（例えば、当選役の情報など）を報知可能に構成された情報報知手段（例えば、後述の液晶表示装置５など）と、を備え、前記第１の役に当選する確率が第１確率（例えば、55555／65536など）である第１当選役決定情報（例えば、後述のＦＴ遊技状態用確率抽選テーブル（図９の（１））に前記当選役決定情報が切り換えられている場合、前記図柄表示手段により第２の役（例えば、後述のチェリーの小役、赤チェリーの小役、黒チェリーの小役など）に対応する図柄の組合せが表示されることを条件（例えば、後述のチェリーの小役の成立を条件）に、前記切換手段は、前記当選役決定情報を前記第１の役に当選する確率が前記第１確率と異なる第２確率（例えば、第１の確率よりも低い9000／65536など）である第２当選役決定情報（例えば、後述の一般遊技状態用確率抽選テーブル（図８の（１））に切り換え、前記情報報知手段は、前記当選役決定情報が前記第１当選役決定情報に切り換えられているときに設けられる特定遊技区間（例えば、後述の報知期間など）の場合、前記複数種類の第２の役のうちいずれかの第２の役が前記当選役と決定されたことを条件に、その決定された第２の役に対応する図柄の組合せを前記図柄表示手段により表示させないように所定の情報を報知し、前記複数種類の第２の役に対応する図柄の組合せを構成する図柄は、各々、前記図柄表示手段において、他の第２の役に対応する図柄の組合せを構成する図柄と前記予め定められた図柄の移動量の範囲以上の図柄を挟んで配置され、前記特定遊技区間を継続させることが可能な継続可能回数を抽選する特定遊技区間抽選手段をさらに備えたことを特徴とする遊技機。